(57)【特許請求の範囲】
【請求項１】
出入口を塞ぐ開閉動自在な引き戸式の扉と、前記扉を開閉動自在に吊支する固定レールと、前記扉の上方に配置された天レールと、前記天レールと扉との間の空間を覆う欄間パネルとを備えており、
前記天レールは前後の側板を備えた断面略下向き開口コ字状に形成されており、この天レールにおける前後の側板に内向きの折曲げ部を形成している一方、前記欄間パネルの上端には内側に折り返されて下向きに開口した折り返し部が形成されており、前記天レールにおける側板の折曲げ部に取り付けた吊り具に欄間パネルの折り返し部を引っ掛けるようになっている引き戸装置であって、
前記天レールにおける前後側板の折曲げ部は下向き片を有する断面階段状に形成されている一方、前記吊り具は、前記天レールにおける側板の折曲げ部を内外から挟持する内部材と外部材とから成っていてこれら内部材と外部材とはその下端において一体に連接されており、かつ、前記吊り具の外部材に、前記欄間パネルの上端の折り返し部の内部に下方から嵌まり込む係止部を形成している、
引き戸装置。
【請求項２】
前記吊り具を、合成樹脂により、弾性に抗して変形させることによって天レールの折曲げ部に取り付けられるように形成している、
請求項１に記載した引き戸装置。
【発明の詳細な説明】
【０００１】
【発明の属する技術分野】
本発明は、欄間パネルを備えた引き戸装置に関するものである。
【０００２】
【従来の技術】
吊懸け式引き戸装置に関する先行技術として、本願出願人の先願に係る特開平９−２３５９３８号公報がある。
【０００３】
この特開平９−２３５９３８号公報では、その図１２に示されているように、欄間パネルの取付け手段として、単純な断面コ字状の天レールを前提として、天レールに、上向き開口コ字状の係止体（吊り金具）を天レールに下方から部分的に被嵌し、この係止体における前後側板の上部を天レールの外側に重ねており、この側板に欄間パネルの折り返し部を嵌め込んでいる。
【０００４】
【発明が解決しようとする課題】
しかし、従来の構造では、係止体の側板が天レールの外側にはみ出るため、天レールの片面を建物の壁に重ねた状態で取付けた場合、支持体を取付けることができないという問題がある。
本発明は、このような実情を改善することを目的とするものである。
【０００５】
【課題を解決するための手段】
本発明の引き戸装置は、出入口を塞ぐ開閉動自在な引き戸式の扉と、前記扉を開閉動自在に吊支する固定レールと、前記扉の上方に配置された天レールと、前記天レールと扉との間の空間を覆う欄間パネルとを備えている。
【０００６】
そして、前記天レールは前後の側板を備えた断面略下向き開口コ字状に形成されており、この天レールにおける前後の側板に内向きの折曲げ部を形成している一方、前記欄間パネルの上端には内側に折り返されて下向きに開口した折り返し部が形成されており、前記天レールにおける側板の折曲げ部に取り付けた吊り具に欄間パネルの折り返し部を引っ掛けるようになっている。
更に、前記天レールにおける前後側板の折曲げ部は下向き片を有する断面階段状に形成されている一方、前記吊り具は、前記天レールにおける側板の折曲げ部を内外から挟持する内部材と外部材とから成っていてこれら内部材と外部材とはその下端において一体に連接されており、かつ、前記吊り具の外部材に、前記欄間パネルの上端の折り返し部の内部に下方から嵌まり込む係止部を形成している。
【０００７】
請求項２では、前記吊り具を、合成樹脂により、弾性に抗して変形させることによって天レールの折曲げ部に取り付けられるように形成している。
【０００８】
【発明の作用・効果】
本発明では、天レールの側板が内向きに折曲げられているため、吊り具は天レールの外側に突出せず、このため、天レールの片面が建物の壁に重なっていても、欄間パネルを支障無く吊懸けできる。
請求項２のように構成すると、特段の加工を必要とすることなく吊り具を天レールに取り付けできるため、組立の手間も軽減できる。
【０００９】
【発明の実施形態】
次に、本発明の実施形態を図面に基づいて説明する。
【００１０】
≪全体構成≫
図１は引き戸装置の正面図であり、引き戸装置は、右開き式の扉１と、前後一対の戸袋パネル２と、出入口を挟んで戸袋パネル２と反対側に立設した第１縦枠３と、戸袋パネル２を挟んで出入口と反対側に立設した第２縦枠４と、天レール（笠木）５と地レール（巾木）６とを備えている。
【００１１】
また、扉１と戸袋パネル２との上方には前後一対の欄間パネル（点検パネル）６が配置されている。
【００１２】
図２は欄間パネル７を取り外した状態での引き戸装置の正面図、図３は図１の III-III視断面図、図４は図１のIV−IV視断面図であり、これらの図に示すように、前後欄間パネル７の間の空間には、第１縦枠３と第２縦枠４との間に延びるレール取付枠８が配置されている。
【００１３】
レール取付枠８の片面には固定レール９が固定されており、固定レール９に可動レール１０を摺動自在に装着して（図面では固定レール９及び可動レール１０の詳細は表示していない）、可動レール１０に、左右一対のハンガー１１を介して扉１を吊り下げ固定している。
【００１４】
前記固定レール９は、第１縦枠３に近い一端部から第２縦枠４に近い他端部に行くに従って高さが徐々に高くなるように傾斜状に配置しており、このため、開かれた扉１から手を離すと、扉１は自重で自動的に閉まる。
【００１５】
図２に簡略化して示すように、レール取付枠８には、扉１の閉止動に際しての衝撃を吸収するためのアブソーバ（エアシリンダ）１２を設けている。図４に示すように、可動レール１０には、アブソーバ１２のピストンに当たるストッパー１３を設けている。
【００１６】
図３に示すように、本実施形態の引き戸装置は、建物のコンクリート製基礎１４に開けた空間の箇所に設けており、基礎壁１４の端面には支柱１５が固定されており、また、基礎壁１４の前後両側には壁パネル１６を配置している。
なお、図示していないが、第２縦枠４には、開き切った状態で扉１の端面が当たるクッション材（緩衝材）を設けている。
【００１７】
以下、図５以下の図面も参照して各部位の詳細を説明する。
【００１８】
≪戸袋パネル２と第２縦枠４との関係≫
図５は両縦枠３，４と天レール５の形状及び両者の関係を示す斜視図であり、この図５や図４，図７に示すように、天レール５は下向き開口の樋状に形成されており、前後両側板５ａには、下向き片５ｂ′を有する階段状の折曲げ部５ｂが形成されている。
【００１９】
天レール５には適当な間隔で上向き片１７を切り起こし形成しており、この上向き片１７を、建物の梁材１８の下面に固着したブラケット１９に溶接等によって固着している。図４に示す符号２０は天井板である。
【００２０】
第１縦枠３は天レール５と同じ前後幅寸法に設定されており、支柱１４に向けて開口した広幅の樋状に形成されている。他方、第２縦枠４も天レール５と同じ前後幅寸法であり、第１縦枠３の方向に向けて開口した樋状に形成されており、かつ、前後側板４ａを内側に向けて段違い状に折曲げて、図３に示すように、側板４ａの折曲げ片４ｂに戸袋パネル２を重ね合わせている。
【００２１】
戸袋パネル２の表面には金属製の化粧板２１を張っている。
第１縦枠３と第２縦枠４との上端には、天レール５に内側から嵌挿する張出部２２を設けている。このように張出部２２を設けると、天レール５との組立強度を向上できると共に、天レール５と両縦枠３，４との表面を同一面状に揃えて美感を向上することができる利点がある。
【００２２】
両縦枠３，４の下端には、当該縦枠３，４の内面形状と相似形に形成したサイドアジャスタ２３が嵌まっている。サイドアジャスタ２３には上方からボルト２４をねじ込んでいる一方、縦枠３，４の内面には、ボルト２４に載る支持ブラケット２５を溶接等によって固着している。
【００２３】
第２縦枠４を支持するサイドアジャスタ２３は地レール６の外側に配置している。なお、第２縦枠４を地レール６の上に配置してもよいし、また、地レール６は必ずしも必要ない。
【００２４】
図６及び図７では戸袋パネル２の取付け構造を示す図であり、両図に示すように、戸袋パネル２の一側部は第２縦枠４で支持されており、他側部は、地レール６の端部内に配置したセンターアジャスタ２６で支持されている。
【００２５】
先ず、第２縦枠４による支持構造を説明する。図６に示すように、第２縦枠４における側板４ａの折曲げ片４ｂの下端に上向きの鉤片２７を折曲げ形成している一方、戸袋パネル２には、化粧板２１の側縁を折曲げることによって断面角形の折り返し部２８を形成し、この折り返し部２８の下端を第２縦枠４の爪２７で支持している。
【００２６】
第２縦枠４の上部は押え金具３０で第２縦枠４に固定されている。すなわち、この押え金具３０は戸袋パネル２の折り返し部２８に上方から部分的に嵌まり込むように形成されており、この押え金具３０を、タッピンねじ等のねじ３１で第２縦枠４における側板４ａの折曲げ片４ｂに固定している。押え金具３０には、戸袋パネル２の折り返し部２８に嵌合する切欠き３０ａを形成している。
【００２７】
なお、押え金具３０は欄間パネル７で覆われるので、美感の問題はない。
なお、戸袋パネル２は第２縦枠４に直接にねじで固定しても良いが、欄間パネル７で覆われる押え金具３０を介して固定すると、体裁が良い。
【００２８】
≪センターアジャスタ２６と戸袋パネル２≫
次に、戸袋パネル２の他側部の取付け構造を図７〜図１１も参照して説明する。図８はセンターアジャスタ２６の斜視図、図９はセンターアジャスタ２６の箇所の側断面図、図１０は図９の X-X視断面図、図１１は図１０のXI−XI視断面図である。
【００２９】
戸袋パネル２における他側部の内面には、戸袋パネル２の内面にら向けて開口したコ字状の補強枠３３が溶接等によって固着されている一方、センターアジャスタ２６には、前記補強枠３３に向けて延びる前後一対の支持部３４が立設されており、また、センターアジャスタ２６には、扉１の下面に設けたガイド樋３５に嵌まるガイドローラ３６を水平回転自在に取付けている。
【００３０】
図８に明示するように、地レール６の端部には内向きの端面板６ａが折曲げ形成されており、この端面板６ａでセンターアジャスタ２６が位置決めされている。また、地レール６及びセンターアジャスタ２６はそれぞれアンカー３７で床に固定されている。
【００３１】
センターアジャスタ２６の支持部３４は、左右側板３４ａを設けることによって平断面コ字状に形成されており、また、支持部３４の上端に内向きの水平片３４ｂを折曲げ形成して、この水平片３４ｂにアジャスターボルト３８をねじ込んでいる。水平片３４ｂは支持部３４の左右横幅よりも短い寸法に設定されており、このため、水平片３４ｂと左右側板３４ａとの間の部位は上方に向けて開口している。
【００３２】
戸袋パネル２における補強枠３３の内部には、前記センターアジャスタ２６に載る支持片３９を溶接等によって固着している。また、補強枠３３には、アジャスターボルト３８を回転操作するスパナ（図示せず）を挿入するための窓穴４０が空いている。
【００３３】
また、図９に示すように、戸袋パネル２の補強枠３３は、センターアジャスタ２６における支持部３４の水平片３４ａに被嵌するように、その側板を部分的に切欠いている（切欠きを符号４１で示す）。補強枠３３と支持部３４との間には極く僅かの隙間が空いており、このため、戸袋パネル２が引き戸装置の奥行き方向にずれ動くのを阻止している。
【００３４】
更に、図１０や図１１に示すように、戸袋パネル２における補強枠３３は、センターアジャスタ２６の支持体の内部にきっちり嵌まる横幅寸法に設定されており、これにより、戸袋パネル２が間口方向にずれ移動することが阻止される。
【００３６】
図１２及び図１３に示すように、第２縦枠４における側板４ａの適当な高さ位置に、戸袋パネル２を直立姿勢に仮保持する係合手段の一環として、固定具４２を装着している。この固定具４２は板ばね等の薄い弾性板製であり、第２縦枠４における側板４ａの折曲げ片４ｂに被嵌する形状であり、また、戸袋パネル２における折り返し部２８の先端縁に、弾性に抗して係合する爪部４２ａを一体に形成している。固定具４２には抜け止めのためのストッパー片４２ｂを設けている。
【００３７】
≪引き戸装置の上部の構造≫
次に、引き戸装置の上部の構造を図１４〜図１６に基づいて説明する。図１４は分離斜視図、図１５は欄間パネルを取り外した状態の正面図、図１６は欄間パネル７を取り付けた状態での図１５の XVI-XVI視断面図である。
【００３８】
両縦枠３，４の上部には、レール取付枠８の側部に重なり合う金属板製のブラケット板４３を溶接等によって固着しており、このブラケット板４３にレール取付枠８をねじ４４で固定している。第２縦枠４におけるブラケット板４３のねじ挿入穴４５は単なる丸穴である一方、第２縦枠４におけるブラケット板４３のねじ挿入穴４６は上下に長い長穴になっている（加工誤差や組立誤差を吸収するためである）。
【００３９】
また、レール取付枠８のうち第１縦枠３に近い端部には、ブラケット板４３に上方から当たる押えねじ４７をねじ込んでいる。このため、ブラケット板４３のねじ挿入穴４７が長穴であっても、レール取付枠８を下向きずれ不能に保持できる。
【００４０】
前記戸袋パネル２の補強枠３３は戸袋パネル２の上方に長く延びており、レール取付枠８の上部に、前後補強枠３３の上部に重なる合う広幅部３３ａを一体に形成し、この広幅部３３ａに補強枠３３をねじ４８で固定している。図１６から容易に理解できるように、両ブラケット板４３は、平面視で引き戸装置の前後中央部に位置しており（平面視の中心線を符号４９で示している）、このため、レール取付枠８は左右を逆にして裏返した状態で固定することができる。
【００４１】
また、図４（Ａ）に表示した中心線４９から容易に理解できるように、扉１はその前後中央部をハンガー１１に固定している。このため、レール取付枠８を左右に逆向きにして裏返した状態に付け替えることができる。
【００４２】
戸袋パネル２の補強枠３３はレール取付枠８よりもやや上方に突出しており、図１４に示すように、前後の補強枠３３の上端に平面視コ字状の吊金具５０をねじ５１で固定している。吊金具５０は、図７や図４に示すように、天レール５の内側面にねじ５２で固定されている。
【００４３】
≪欄間パネル７の取付け構造≫
次に、図４，図５，図１６に基づいて欄間パネル７の取付け構造を説明する。欄間パネル７の上下両端にはコ字状の折り返し部７ａ，７ｂが形成されており、上端は、天レール５の折曲げ部５ｂに装着した合成樹脂製の吊り具５３に引っ掛けられている。欄間パネル７における上端の折り返し部７ａは下向き片７ａ′を有して下向きに開口している。
【００４４】
図４（Ｂ）に拡大して示すように、吊り具５３は、天レール５における側板５ａの段状折曲げ部５ｂの内面にきっちり嵌まる内部材５３ａと、その下端に一体に連接された外部材５３ｂとから成っており、内部材５３ａと外部材５３ｂとの下部で、天レール５の折曲げ部５ｂの下端が挟持されている。
【００４５】
また、吊り具５３の外部材５３ｂには、欄間パネル７における上折り返し部７ａの内部にきっちり嵌まる係止部５３ｃが一体に形成されている。係止部５３ｃは、欄間パネル７の嵌め込みを容易ならしめるため舌状に形成されている。言うまでもないが、吊り具５３は複数個あって適当な間隔で天レール５に装着されている。
【００４６】
図５や図１６に示すように、第１縦枠３の上部には、欄間パネル７の端部が重なる当て板５４が装着されており、欄間パネル７における一端部の下端を化粧ねじ５５で当て板５４に固定している。また、欄間パネル７における他端部の下端は、第２縦枠４の折曲げ部４ｂに化粧ねじ５５で固定されている。
【００４７】
吊り具５３は、その弾性に抗して天レール５の側板５ａに下方から被嵌することにより、天レール５にワンタッチ的に取付けることができる。取付けた後は、吊り具５３の下部で天レール５の折曲げ部５ｂが内外から挟持されているため、吊り具５３が外れることはない。また、欄間パネル７を取り外せば、吊り具５３はその取付けと逆の操作によって取り外すことができる。
【００４８】
このように、天レール５の側板５ａの下部が内向きに折曲げられているため、吊り具５３は天レール５の外側に突出せず、このため、図４に二点鎖線で示すように天レール５の片面が建物の壁Ｅに重なっていても、欄間パネルを支障無く吊懸けできる。
【００４９】
特に、実施形態のように吊り具５３を個別に側板５ａの折曲げ部５ｂに取付ける構造にすると、吊り具５３の構造が簡単になると共に、天レール５への装着がしごく簡単になる利点がある。
【００５０】
また、前記公報の構造の場合、係止体が金属板製であるため、扉を開け閉めするたびに、振動で欄間パネルがガタ付く問題があったが、本実施形態によると、吊り具５３は合成樹脂製であり、しかも、吊り具５３で欄間パネル７と天レール５の折曲げ部５ｂとが挟持されているため、ガタ付きをなくすことができる利点もある。
【００５１】
更に、吊り具５３を弾性に抗して天レール５の折曲げ部５ｂに取付ける構成にすると、特段の加工を必要としないため、組立の手間も軽減できる。
【００５２】
≪左右開き方向への対処≫
図１７〜図１９では左開き式の引き戸装置を示しており、図１７は正面図、図１８は図１７の XVIII-XVIII視断面図、図１９は図１７の XIX-XIX視断面図である。
【００５３】
引き戸装置は全体として前後対称の形態であり、前後対称形の部材は右開き式の場合も左開き式の場合も共用できるが、レール支持枠は前後非対称の形態であるため、従来は、右開き用と左開き用との二種類を製造していた。
【００５４】
これに対して本実施形態では、両縦枠３，４のブラケット板４３を前後中央部に配置しているため、図１８及び図１９に示すように、１種類のレール取付枠８を左右に裏返して両ブラケット板４３に取付けることができ、このため、コスト及び部品管理の手間を軽減できる利点がある。
【００５５】
なお、ブラケットは他の形態でも良い。また、レール取付枠８を直接に縦枠３，４に固定しても良い。また、レール取付枠８を右開きと左開きに兼用する手段としては、レール取付枠８を左右を逆にして裏返した状態で縦枠３，４に付け替えたときに、ハンガー１１と扉１との取付け箇所が前後中央部に位置するように設定しておけば良いのであり、必ずしも図示の断面形状には限らない。
【図面の簡単な説明】
【図１】引き戸装置の正面図である。
【図２】欄間パネルを取り外した状態での引き戸装置の正面図である。
【図３】図１の III-III視断面図である。
【図４】図１のIV−IV視断面図である。
【図５】引き戸装置の枠組の分離斜視図である。
【図６】 (A)は戸袋パネルと第２縦枠との分離斜視図、 (B)は取付け状態での要部側断面図である。
【図７】戸袋パネルの取付けを示すための分離斜視図である。
【図８】アジャスターと地レールとの斜視図である。
【図９】戸袋パネルをアジャスターで支持した状態の断面図である。
【図10】図９の X-X視断面図である。
【図11】図１０のXI−XI視断面図である。
【図12】仮固定具と第２縦枠との分離斜視図である。
【図13】戸袋パネルを仮固定した状態の平断面図である。
【図14】レール支持枠の取付けを示す分離斜視図である。
【図15】欄間パネルを取外した状態での引き戸装置の上部の正面図である。
【図16】図１５の XVI-XVI視断面図である。
【図17】左開き式の引き戸装置の正面図である。
【図18】図１７の XVIII-XVIII視断面図である。
【図19】図１７の XIX-XIX視断面図である。
【符号の説明】
１  扉
２  戸袋パネル
５  天レール
５ａ  天レールの側板
５ｂ  折曲げ部
５ｂ′  折曲げ部の下向き片
７  欄間パネル
７ａ  折り返し部
８  レール取付枠
９  固定レール
１０  可動レール
５３  吊り具
５３ａ  内部材
５３ｂ  外部材
５３ｃ  係止部
【図１】
0003789907.tif 000002
【図２】
0003789907.tif 000003
【図３】
0003789907.tif 000004
【図４】
0003789907.tif 000005
【図５】
0003789907.tif 000006
【図６】
0003789907.tif 000007
【図７】
0003789907.tif 000008
【図８】
0003789907.tif 000009
【図９】
0003789907.tif 000010
【図１０】
0003789907.tif 000011
【図１１】
0003789907.tif 000012
【図１２】
0003789907.tif 000013
【図１３】
0003789907.tif 000014
【図１４】
0003789907.tif 000015
【図１５】
0003789907.tif 000016
【図１６】
0003789907.tif 000017
【図１７】
0003789907.tif 000018
【図１８】
0003789907.tif 000019
【図１９】
0003789907.tif 000020